(57)【要約】【課題】  ノズル装置のノズル噴射工程を設置できる乾燥装置であってダクトを乾燥装置の壁面の内部に設けて、乾燥装置の小型化と清掃の容易な乾燥装置の提供を目的とする。【解決手段】  常温流体と、熱流体と、低温流体の何れかの状態の流体を壁面内部に設けたダクトにより給気あるいは排気をするノズル装置のノズル噴射工程を設置できる乾燥装置であって、該乾燥装置２００は、直方体あるいは立法体の６面で構成した。天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０内部には、常温流体と、熱流体と、低温流体の何れかの状態の流体を給気あるいは排気をするダクト１９０を設けた構成である。【選択図】図１
2007248034.tif 000002
【特許請求の範囲】
【請求項１】
常温流体と、熱流体と、低温流体の何れかの状態の流体を壁面内部に設けたダクトにより供給あるいは排気をするノズル装置のノズル噴射工程を設置できる乾燥装置であって、該乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（７１）に設けたウエブ（９０）の受け流入口（３０）と、側壁面（８１）に設けた流出口（４０）と、天井壁面（５０）の内部と、床面（６０）の内部には、常温流体と、熱流体と、低温流体の何れかの状態の流体を給気あるいは排気をするダクト（１９０）を設けた構成であることを特徴とする乾燥装置。
【請求項２】
上記記載の乾燥装置であって、該乾燥装置（２００）は、乾燥装置（２００）内部の流体の給気と排気等が行えるように壁面の内部にダクト（１９０）を設けて、該ダクト（１９０）は、乾燥装置の内外から流体の給気と排気等を行う給排気管（１９２）と、給排気管（１９２）は、乾燥装置内部の流体の給気と排気等を行う給排気窓部（１９１）と、給排気管（１９２）の周囲を囲んで設けた空気を封じ込んで両端を密閉した空気層管（１９３）と、空気層管（１９３）の周囲を囲んで流体の給気と排気が行える流体流通管（１９４）とを設けて、乾燥装置内部に向けて配置して設けた給排気窓部（１９１）と、給排気管（１９２）の温度によって、断熱効果のある空気層管（１９３）と、空気層管（１９３）の周囲を流体の流通で温度制御を可能とした流体流通管（１９４）を合わせたダクト（１９０）を設けた構成であることを特徴とする請求項１記載の乾燥装置。
【請求項３】
前記記載の乾燥装置であって、該乾燥装置（２００）は、直方体あるいは立法体の６面で構成れ、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（８３）に設けたウエブ（９０）の受け流入口（３０）と、側壁面（８５）に設けた流出口（４０）と、設けるときもある側壁面（８３）に流出口（４０）と、側壁面（８５）に流入口（３０）と、側壁面（７０、７１）の内部と、側壁面（８０、８１）の内部には、常温流体と、熱流体と、低温流体の何れかの状態の流体を給気あるいは排気をするダクト（１９０）を設けた構成であることを特徴とする請求項１と２記載の乾燥装置。
【請求項４】
前記記載の乾燥装置であって、該乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（８３）に設けたウエブ（９０）の受け流入口（３０）と、側壁面（８５）に設けた流出口（４０）と、天井壁面（５０）の内部と、床面（６０）の内部と、側壁面（７０、７１）の内部と、側壁面（８０、８１）の内部には、常温流体と、熱流体と、低温流体の何れかの状態の流体を給気あるいは排気をするダクト（１９０）を設けた構成であることを特徴とする請求項１と２記載の乾燥装置。
【請求項５】
前記記載の乾燥装置であって、該乾燥装置（２００）は、乾燥装置（２００）を１室以上とする直方体あるいは立法体の６面で構成され、１室以上を区切る乾燥装置内部の区切りとなる区切壁面（８６、８７）を設けて、該区切壁面（８６、８７）はウエブ（９０）の流入口と流出口となるウエブ窓（３４）と、乾燥室内の流体の流通用の流通窓（２１、２２、２３、２４）を設けた構成であることを特徴とする請求項１ないし４記載の乾燥装置。
【発明の詳細な説明】
【技術分野】
【０００１】  本発明は、ウエブ等を乾燥する乾燥装置であって乾燥に使用する気体は、常温流体と、熱流体と、低温流体の何れかの流体を壁面内部に設けたダクトより給排する乾燥装置に関する。
【背景技術】
【０００２】  従来型乾燥装置の一例である。図１２と、図１７ないし図１９は従来型乾燥装置のダクト機構の断面図と、ダクト機構の斜視図を示した図である。
従来型乾燥装置の一例の断面図を図１２に示す。従来から連続的に搬送される支持体を浮上して走行する支持体をウエブと称している。この例では従来型フローティング乾燥装置を設置している。乾燥装置の直方体あるいは立方体の６面は、天井壁面５０と、側壁面７０、８０と、その他の側壁面８２、８４とで上蓋１１０を構成している。床面６０と、側面壁７１、８１と、その他の側壁面８３、８５とで乾燥部１２０を構成している。壁面８４、８５は図示なし。上蓋１１０と乾燥部１２０は蓋を締めパチン錠等と呼ばれるクリップ（図示なし）により要所が固定される。乾燥装置内に設置したノズル装置のノズル１１に流体を供給する２箇所のダクト１０より流体は供給され複数のノズル１１から吐出す。ウエブ９０はノズル１１の下方と上方からの吐出する流体によって空中を浮遊させて乾燥部１２０のウエブ流入口３０より流入して、乾燥したウエブ９０は乾燥部１２０のウエブ流出口４０より流出する。乾燥工程で使用された流体は、４隅のダクト２０より排気される。４隅のダクト２０は乾燥に大きく貢献する重要機構である。乾燥装置の占めるダクト２０の割合は大きく１／２以上を占有しているため乾燥装置を小型に安価にできない要因の一つになっている。乾燥装置に占めるダクト２０の割合を最少にして目的のノズル装置のノズル噴射工程を長くしたい。【０００３】  図１７は、図１２の従来型フローティング乾燥装置の断面図を示した図である。
従来型乾燥装置を使用するとき、ノズル装置の直接噴射工程が１システムで不足のときは、乾燥装置を追加して設けノズル装置のノズル噴射工程を長くする。乾燥装置を複数台直列に使用した。図の例では乾燥装置２システムを直列に使用した例である。図は、ノズル装置のノズル噴射工程を省略した。ウエブ９０は、ウエブ流入口３０より流入して、１システムのウエブ流出口４０より流出して、２システムのウエブ流入口３０より流入して、２システムのウエブ流出口４０より流出する。４隅のダクト機構の清掃はたえず必要であった。ダクト２０は大きく床面と、天井面に固定されている。ノズル装置のノズル噴射工程も詰め込まれた設定である。ダクト２０とノズル装置の配置の関係で重要なダクト２０の清掃は大変困難であった。【０００４】  図１８は、図１７の一部を切り欠いだ斜視図を示した図である。
図１８は、上下に２分割できる従来型乾燥装置の斜視図である。
ノズル装置のノズル噴射工程と、上蓋１１０の一部を省略した。ウエブ９０は、ウエブ流入口３０より流入して、２システム目のウエブ流出口４０より流出する。４隅のダクトの清掃と流体の供給量と排出量の調整を必要とするので、上蓋１１０と、乾燥部１２０は、上下２分割できるようになっている。ノズル装置を使用するときは、パチン錠等と呼ばれるクリップ（図示なし）により２分割した個所の要点を固定する。図示していない側壁面８４、８５は乾燥装置の重要な壁面である。【０００５】  図１９は、図１７の斜視図を示した図である。
ノズル装置のノズル噴射工程のダクト１０は省略してある。ウエブ９０は、ウエブ入口３０より流入して、２システム目のウエブ出口４０より流出する。４隅のダクトの清掃と流体の供給量と排出量の調整を必要とするので、上蓋１１０と、乾燥部１２０は、上下２分割できる。ノズル装置を使用するときは、パチン錠等と呼ばれるクリップにより２分割した個所の要点を固定する。８４、８５は側壁面である。【０００６】  発明の名称：紙ウエブ等のコーディングの乾燥方法及び装置に記載されている代表図によると乾燥装置全体は箱構体で囲まれ、箱構体４隅の上方と下方に吹出しと、排気ダクトがある。４隅のダクトは乾燥に大きく貢献する重要機構であるがダクトの乾燥装置に占める割合は、１／２以上と大きい（特許文献１を参照）。【０００７】  発明の名称：ウエブ乾燥処理装置、及びウエブ乾燥処理方法に記載されている図２〜３でダクトの占有する面積は、１／２以上と大きい（特許文献２を参照）。【０００８】
【特許参考文献１】
特許平１０−２０２１７５号
【特許参考文献２】
特許平１１−１２８８０７号
【発明の開示】
【発明が解決しようとする課題】
【０００９】  従来の乾燥装置において、ダクトの占有する面積は装置の１／２以上と大きい。日常メンテナンスを必要とするダクトは、清掃しようにもダクトと、ノズル装置がぎっしり詰め込んだ構造が多いため狭く充分清掃が行き届かない。ダクトの清掃は乾燥装置の性能に影響する重要な部分である。ウエブを乾燥する上で、ノズル装置のノズル噴射工程を長くすることは直接的に乾燥効果が上がるためノズル装置のノズル噴射工程を長くしたい。乾燥装置に設けてある４隅のダクトをの取りぞけるものなら除きたい。乾燥装置に占有するダクトの占有面積を最小にして性能を向上したダクトを設けた乾燥装置を得るにある。【００１０】  本発明は以上のような従来の欠点に鑑み、乾燥装置において、ダクトの占有する面積を最小にするため乾燥装置の壁面内部に設けられるダクトが必要でダクトの性能を向上した。乾燥性能に影響するダクトの清掃も自在に行える面積を確保した。壁面内部にダクトを設けるにはダクトの性能を向上させた。ダクトを従来にない多層構造として性能向上と壁面に影響しないよう断熱性能を高め、断面積を小さくした。乾燥装置を形成する６壁面を使用して、２壁面はウエブの出入り壁面として、４壁面をダクトの設置場所とした構成の乾燥装置を提供することを目的としている。ここで取り扱う気体は、常温流体と、熱流体と、低温流体等である。【００１１】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【００１２】  上記目的を達成するために、本発明は、常温流体と、熱流体と、低温流体の何れかの状態の流体を壁面内部に設けたダクトにより供給あるいは排気をするノズル装置のノズル噴射工程を設置できる乾燥装置であって、該乾燥装置２００は、直方体あるいは立法体の６面で構成した。天井壁面５０と、側壁面７０と８０と、その他の側壁面８２、８４とで構成された上蓋１１０と、床面６０と、側面壁７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。乾燥装置は他の外形で球体等の場合もある。【００１３】  また、請求２記載の発明では、請求項１記載の乾燥装置であって、上記記載の乾燥装置２００は、乾燥装置２００内の流体の給気と排気等が行えるダクト１９０を壁面の内部に設けた。該ダクト１９０は、乾燥装置の内外から流体の給気と排気等を行う給排気管１９２と、給排気管１９２は、乾燥装置内部の流体の給気と排気等を行う給排気窓部１９１とを設けた。給排気管１９２の周囲を囲んで設けた空気を封じ込んで両端を密閉した空気層管１９３を設けた。空気層管１９３の周囲を囲んで流体の給気と排気が行える流体流通管１９４を設けた。ダクト１９０の給排気窓部１９１は乾燥装置内部に向けて配置する。給排気管１９２の温度によって、断熱効果のある空気層管１９３と、空気層管１９３の周囲を流体の流通で温度制御が可能な流体流通管１９４を合わせて設けた構成のダクト１９０を設けた乾燥装置である。給排気窓部１９１はパンチングブレードが使用される。ダクト１９０の給排気は給排気管１９２が中心で、ダクト１９０の壁面に及ぼす温度制御は流体流通管１９４に流体を流通させて制御するこれらを含めて外部よりダクト１９０とカップリングできるダクトは弊社出願中のダクト機構がある。【００１４】  また、請求項３記載の発明では、請求項１〜２記載の乾燥装置であって、前記記載の乾燥装置２００は、直方体あるいは立法体の６面で構成した。天井壁面５０と、側壁面７０、と８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。側壁面７０、７１の内部と、側壁面８０、８１の内部には、常温流体と、熱流体と、低温流体の何れかの状態の流体を給気あるいは排気をするダクト１９０を設けた構成の乾燥装置である。【００１５】  また、請求項４記載の発明では、請求項１〜２記載の乾燥装置であって、前記記載の乾燥装置２００は、直方体あるいは立法体の６面で構成した。天井壁面５０と、側壁面７０、と８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、���壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あるいは排気をするダクト１９０を設けた構成の乾燥装置である。【００１６】  また、請求項５記載の発明では、請求項１〜４記載の乾燥装置であって、前記記載の乾燥装置２００は、乾燥装置２００を２室とした直方体あるいは立法体の６面で構成した。
乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。
【発明の効果】
【００１７】  以下の説明から明らかなように、本発明にあっては次に列挙する効果が得られる。【００１８】  請求項１記載の発明では、常温流体と、熱流体と、低温流体の何れかの状態の流体を壁面内部に設けたダクトにより供給あるいは排気をするノズル装置のノズル噴射工程を設置できる乾燥装置であって、該乾燥装置は、直方体あるいは立法体の６面で構成した。天井壁面と、側壁面７０、８０と、その他の側壁面８２、８４とで構成された上蓋と、床面と、側面壁７１、８１と、その他の側壁面８３、８５とで構成された乾燥部と、側壁面７１はウエブの受け流入口と、側壁面８１は流出口を設けた。天井壁面の内部と、床面の内部には、常温流体と、熱流体と、低温流体の何れかの状態の流体を給気あるいは排気をするダクト１９０を設けた構成の乾燥装置であるので、壁面内部にダクトを設けてダクトの占有する面積を最小にして性能を向上したダクトを設けることができた。乾燥性能に影響するダクトの清掃も清掃作業の場所が確保出来たので自在に行えるようになった。乾燥装置を小型化出来るので設置場所の削減と製造原価の低減は素晴らしい。【００１９】  請求項２記載の発明では、請求項１記載の乾燥装置であって、上記記載の乾燥装置は、乾燥装置内部の流体の給気と排気等が行えるダクトを壁面内部に設けた。該ダクトは、乾燥装置の内外から流体の給気と排気等を行う給排気管と、給排気管は、乾燥装置内部の流体の給気と排気等を行う給排気窓部とを設けた。給排気管の周囲を囲んで設けた空気を封じ込んで両端を密閉した空気層管を設けた。空気層管の周囲を囲んで流体の給気と排気が行える流体流通管を設けた。ダクトの給排気窓部は乾燥装置内部に向けて配置する。給排気管の温度によって、断熱効果のある空気層管と、空気層管の周囲を流体の流通で温度制御が可能な流体流通管を合わせて設けた構成のダクトを設けた乾燥装置であるので、壁面にダクトを設けることは壁面の耐熱が保たなかったが断熱効果の優れたダクトを設けたのでダクトを壁面に設けることが可能となり、その上ダクトの断面積を縮小することが出来た。ダクトの温度が上昇するときはダクトに設けた流体流通管を使用して強制的に流体を入れ替えできるためダクト温度の制御が自在とった。優れたダクトである。【００２０】  請求項３記載の発明では、請求項１〜２記載の乾燥装置であって、前記記載の乾燥装置は、直方体あるいは立法体の６面で構成した。天井壁面と、側壁面７０、８０と、その他の側壁面８２、８４とで構成された上蓋と、床面と、側面壁７１、８１と、その他の側壁面８３、８５とで構成された乾燥部と、側壁面８３はウエブの受け流入口と、側壁面８５は流出口を設けた。側壁面８３に流出口と、側壁面８５に流入口を設ける場合もある。側壁面７０、７１の内部と、側壁面８０、８１の内部には、常温流体と、熱流体と、低温流体の何れかの状態の流体を給気あるいは排気をするダクトを設けた構成の乾燥装置であるので、壁面内部にダクトを設けてダクトの占有する面積を最小にして性能を向上したダクトを設けることができた。乾燥性能に影響するダクトの清掃も清掃作業の場所が確保出来たので自在に行えるようになった。乾燥装置を小型化出来るので設置場所の削減と製造���価の低減は素晴らしい。【００２１】  請求項４記載の発明では、請求項１〜２記載の乾燥装置であって、前記記載の乾燥装置２００は、直方体あるいは立法体の６面で構成した。天井壁面と、側面壁７０、８０と、その他の側壁面８２、８４とで構成された上蓋と、床面と、側面壁７１、８１と、その他の側壁面８３、８５とで構成された乾燥部と、側壁面８３はウエブの受け流入口と、側壁面８５は流出口を設けた。側壁面８３に流出口と、側壁面８５に流入口を設ける場合もある。天井壁面の内部と、床面の内部と、側壁面７０、７１の内部と、側壁面８０、８１の内部には、常温流体と、熱流体と、低温流体の何れかの状態の流体を給気あるいは排気をするダクトを設けた構成の乾燥装置であるので、壁面内部にダクトを設けたのでダクトの占有する面積を最小にして性能を向上したダクトを設けることができた。乾燥性能に影響するダクトの清掃も清掃作業の場所が確保出来たので自在に行えるようになった。乾燥装置を小型化出来るので設置場所の削減と製造原価の低減は素晴らしい。【００２２】  請求項５記載の発明では、請求項１〜４記載の乾燥装置であって、前記記載の乾燥装置は、乾燥装置を２室とした直方体あるいは立法体の６面で構成した。乾燥装置内部の区切りとなる区切壁面８６、８７を設けた。区切壁面８６、８７はウエブの流入口と流出口となるウエブ窓と、乾燥室内の流体の流通用の流通窓を設けた構成の乾燥装置であるので、乾燥装置を小型化してフローテイングノズル装置とウエブローラ装置を区切った室に設置できるので設置場所の削減とメンテナンスの能率は向上して乾燥装置の製造原価の低減は素晴らしい。
【発明を実施するための最良の形態】
【００２３】  以下、図面に示す実施するための最良の形態により、本発明を詳細に説明する。
【実施例１】
【００２４】  図１ないし図６と図１１と図１５と図１６に示す本発明の第１の実施するための最良の第１の形態において、図１１は、本発明の乾燥装置の断面図を示した図である。
常温流体と、熱流体と、低温流体の何れかの状態の流体を壁面の内部に設けたダクトにより供給あるいは排気をするノズル装置のノズル噴射工程を設置できる乾燥装置である。
図では、フローテイングノズル装置のノズル噴射工程を上下に設けた。ウエブ９０に向けノズル１１噴射の方向を定めている。本発明の乾燥装置内部は、従来のダクトのように占有されなくなったので、ノズル噴射工程を最長に設けることができた。該乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。【００２５】  図１は、本発明の乾燥装置の一部を切り欠いだ斜視図を示した図である。
乾燥装置２００は、ノズル装置のノズル噴射工程を省略した図である。乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００２６】  図２は、図１のＡ−Ａ線に沿う断面図を示した図である。
上記記載の乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。【００２７】  図３は、本発明のダクトの斜視図を示した図である。
上記記載の乾燥装置２００は、乾燥装置２００内外の流体の給気と排気等が行えるダクト１９０を壁面の内部に設けた。該ダクト１９０は、乾燥装置の内外から流体の給気と排気等を行う給排気管１９２と、給排気管１９２は、乾燥装置内部の流体の給気と排気等を行う給排気窓部１９１とを設けた。給排気窓部１９１は乾燥装置内部に向けて配置する。
給排気管１９２の周囲を囲んで設けた空気を封じ込んで両端を密閉した空気層管１９３を設けた。空気層管１９３の周囲を囲んで流体の給気と排気が行える流体流通管１９４を設けた。給排気管１９２の温度によって、断熱効果のある空気層管１９３と、空気層管１９３の周囲を流体の流通で温度制御が可能な流体流通管１９４を合わせて設けた構成のダクト１９０である。給排気窓部１９１はパンチングブレードが使用される。ダクト１９０の給排気は給排気管１９２が中心で、ダクト１９０の壁面に及ぼす温度制御は流体流通管１９４に流体を流通させて制御するこれらを含めて外部よりダクト１９０とカップリングできるダクトは弊社出願中のダクト機構がある。【００２８】  図４は、図３のＢ−Ｂ線に沿う断面図を示した図である。
上記記載の乾燥装置２００は、乾燥装置２００内の流体の給気と排気等が行えるダクト１９０を設けた。該ダクト１９０は、乾燥装置の内外から流体の給気と排気等を行う給排気管１９２と、給排気管１９２は、乾燥装置内部の流体の給気と排気等を行う給排気窓部１９１とを設けた。給排気管１９２の周囲を囲んで設けた空気を封じ込んで両端を密閉した空気層管１９３を設けた。空気層管１９３の周囲を囲んだ流体の給気と排気が行える流体流通管１９４を設けた構成のダクト１９０である。【００２９】  図５は、図３のＣ−Ｃ線に沿う断面図を示した図である。
前記記載の乾燥装置２００は、乾燥装置２００内の流体の給気と排気等が行えるダクト１９０を設けた。該ダクト１９０は、乾燥装置の内外から流体の給気と排気等を行う給排気管１９２と、給排気管１９２は、乾燥装置内部の流体の給気と排気等を行う給排気窓部１９１とを設けた。給排気管１９２の周囲を囲んで設けた空気を封じ込んで両端を密閉した空気層管１９３を設けた。空気層管１９３の周囲を囲んだ流体の給気と排気が行える流体流通管１９４を設けた構成のダクト１９０である。【００３０】  図６は、本発明の乾燥装置の斜視図を示した図である。
前記記載の本発明は、常温流体と、熱流体と、低温流体の何れかの状態の流体を壁面に設けたダクトにより供給あるいは排気をするノズル装置のノズル噴射工程を設置できる乾燥装置であって、該乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。
天井壁面５０の内部と、床面６０の内部には、常温流体と、熱流体と、低温流体の何れかの状態の流体を給気あるいは排気をするダクト１９０を設けた構成の乾燥装置である。
給排気装置によって給気と、排気が行われる。【００３１】  図１５と図１６は、本発明の乾燥装置の流入口の側面図を示した図である。
図１５は乾燥装置２００の上蓋１１０を開けた状態を示した。図１６は乾燥装置２００の上蓋１１０を乾燥部１２０に被せて使用する状態を示した図である。
符号１９０はダクト、３０はウエブ９０の流入口、７０と７１は側壁面である。【００３２】｛発明を実施するための異なる形態｝【００３３】  次に、図７ないし図１４に示す本発明を実施するための異なる形態につき説明する。
なお、これらの本発明を実施するための異なる形態の説明に当たって、前記本発明を実施するための最良の第１の形態と同一構成部分には同一符号を付して重複する説明を省略する。
【実施例２】
【００３４】  図７の本発明の第２の実施の形態において前記本発明の第１の実施の形態と主に異なる点は、前記記載の乾燥装置２００に設けたダクト１９０の配置した壁面が異なる。それに伴いウエブ９０の流入口３０と、流出口４０の配置場所が異なる。【００３５】  図７は、本発明の乾燥装置の一部を切り欠いだ斜視図を示した図である。
上記記載の乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。側壁面７０、７１の内部と、側壁面８０、８１の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００３６】  図８は、図７のＤ−Ｄ線に沿う断面図を示した図である。
前記記載の乾燥装置２００は、天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。側壁面７０、７１の内部と、側壁面８０、８１の内部には、常温流体と、熱流体と、低温流体の何れかの状態の流体を給気あるいは排気をするダクト１９０を設けた構成の乾燥装置である。
【実施例３】
【００３７】  図９の本発明の第３の実施の形態において前記本発明の第１の実施の形態と主に異なる点は、前記記載の乾燥装置２００に設けたダクト１９０を配置した側壁面が異なる。それに伴いウエブ９０の流入口３０と、流出口４０の配置場所が異なる。【００３８】  図９は、本発明の乾燥装置の一部を切り欠いだ斜視図を示した図である。
前記記載の乾燥装置２００は、直方体あるいは立法体の６面で構成した。天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００３９】  図１０は、図９のＥ−Ｅ線に沿う断面図を示した図である。
前記記載の乾燥装置２００は、天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あるいは排気をするダクト１９０を設けた構成の乾燥装置である。
【実施例４】
【００４０】  図１３の本発明の第４の実施の形態において前記本発明の第１の実施の形態と主に異なる点は、前記記載の乾燥装置２００の乾燥装置内部の区切りとなる区切壁面８６、８７を設けたことが異なる。【００４１】  図１３は、乾燥装置の２室の断面図を示した図である。
前記記載の乾燥装置２００は、乾燥装置２００を２室とした直方体あるいは立法体の６面で構成した。乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。乾燥装置２００は区切室の数に応じて区切壁面を設けることができる。【００４２】  図１４は、図１３の一部を切り欠いだ斜視図を示した図である。
前記記載の乾燥装置２００は、乾燥装置２００を２室とした直方体あるいは立法体の６面で構成した。乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。
【産業上の利用可能性】
【００４３】  本発明は、ウエブの乾燥装置を製造販売する産業で利用される。また、ウエブの状態で乾燥を行う製紙分野と、印刷分野と、フイルム分野、液晶分野その他食料乾燥分野でも使用される。
【図面の簡単な説明】
【００４４】
【図１】本発明を実施するための最良の第１の形態の乾燥装置の一部を切り欠いだ斜視図。
【図２】図１のＡ−Ａ線に沿う断面図。
【図３】本発明を実施するための最良の第１の形態の乾燥装置に用いるダクトの斜視図。
【図４】図３のＢ−Ｂ線に沿う断面図。
【図５】図３のＣ−Ｃ線に沿う断面図。
【図６】本発明を実施するための最良の第１の形態の乾燥装置の斜視図。
【図７】本発明を実施するための最良の第２の形態の乾燥装置の一部を切り欠いだ斜視図。
【図８】図７のＤ−Ｄ線に沿う断面図。
【図９】本発明を実施するための最良の第３の形態の乾燥装置の一部を切り欠いだ斜視図。
【図１０】図９のＥ−Ｅ線に沿う断面図。
【図１１】本発明を実施するための最良の第１の形態の乾燥装置の断面図。
【図１２】従来型乾燥装置の断面図。
【図１３】本発明を実施するための最良の第４の形態の乾燥装置の一部を切り欠いだ斜視図。
【図１４】図１３の乾燥装置の一部を切り欠いだ斜視図。
【図１５】本発明を実施するための最良の第１の形態の乾燥装置の側面図。
【図１６】本発明を実施するための最良の第１の形態の乾燥装置の側面図。
【図１７】従来型乾燥装置の断面図。
【図１８】従来型乾燥装置の一部を切り欠いだ斜視図。
【図１９】従来型乾燥装置の斜視図。
【符号の説明】
【００４５】    １０  ダクト
１１  ノズル
２０  ダクト
２１  流通窓
２２  流通窓
２３  流通窓
２４  流通窓
３０  流入口
３４  ウエブ窓
４０  流出口
５０  天井壁面
６０  床面
７０  側壁面
７１  側壁面
８０  側壁面
８１  側壁面
８２  側壁面
８３  側壁面
８４  側壁面
８５  側壁面
８６  区切壁面
８７  区切壁面
９０  ウエブ
１１０  上蓋
１２０  乾燥部
１９０  ダクト
１９１  給排気窓部
１９２  給排気管
１９３  空気層管
１９４  流体流通管
２００  乾燥装置
【図１】
2007248034.tif 000003
【図２】
2007248034.tif 000004
【図３】
2007248034.tif 000005
【図４】
2007248034.tif 000006
【図５】
2007248034.tif 000007
【図６】
2007248034.tif 000008
【図７】
2007248034.tif 000009
【図８】
2007248034.tif 000010
【図９】
2007248034.tif 000011
【図１０】
2007248034.tif 000012
【図１１】
2007248034.tif 000013
【図１２】
2007248034.tif 000014
【図１３】
2007248034.tif 000015
【図１４】
2007248034.tif 000016
【図１５】
2007248034.tif 000017
【図１６】
2007248034.tif 000018
【図１７】
2007248034.tif 000019
【図１８】
2007248034.tif 000020
【図１９】
2007248034.tif 000021
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
常温流体と、熱流体と、低温流体の何れかの状態の流体を壁面内部に設けたダクトにより給気あるいは排気をするノズル装置のノズル噴射工程を設置できる乾燥装置であって、該乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（７１）に設けたウエブ（９０）の受け流入口（３０）と、側壁面（８１）に設けた流出口（４０）と、天井壁面（５０）の内部と、床面（６０）の内部には、常温流体と、熱流体と、低温流体の何れかの状態の流体を給気あるいは排気をするダクト（１９０）を設けた構成であることを特徴とする乾燥装置。
【請求項２】
上記記載の乾燥装置であって、該乾燥装置（２００）は、乾燥装置（２００）内部の流体の給気と排気等が行えるように壁面の内部に設けたダクト（１９０）は、乾燥装置の内外から流体の給気と排気等を行う給排気管（１９２）と、乾燥装置室内の流体の給気と排気等を行う給排気窓部（１９１）と、給排気管（１９２）の周囲を囲んで空気を封じ込んで両端を密閉した空気層管（１９３）と、空気層管（１９３）の周囲を囲んで流体の給気と排気が行える流体流通管（１９４）とでダクト（１９０）を設けた構成であることを特徴とする請求項１記載の乾燥装置。
【請求項３】
前記記載の乾燥装置であって、該乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（８３）に設けたウエブ（９０）の受け流入口（３０）と、側壁面（８５）に設けた流出口（４０）と、側壁面（７０、７１）の内部と、側壁面（８０、８１）の内部には、常温流体と、熱流体と、低温流体の何れかの状態の流体を給気あるいは排気をするダクト（１９０）を設けた構成であることを特徴とする請求項１又は２記載の乾燥装置。
【請求項４】
前記記載の乾燥装置であって、該乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（８３）に設けたウエブ（９０）の受け流入口（３０）と、側壁面（８５）に設けた流出口（４０）と、天井壁面（５０）の内部と、床面（６０）の内部と、側壁面（７０、７１）の内部と、側壁面（８０、８１）の内部には、常温流体と、熱流体と、低温流体の何れかの状態の流体を給気あるいは排気をするダクト（１９０）を設けた構成であることを特徴とする請求項１又は２記載の乾燥装置。
【請求項５】
前記記載の乾燥装置であって、該乾燥装置（２００）は、乾燥装置（２００）を１室以上とする直方体あるいは立法体の６面で構成され、１室以上を区切る乾燥装置内部の区切りとなる区切壁面（８６、８７）を設けて、該区切壁面（８６、８７）はウエブ（９０）の流入口と流出口となるウエブ窓（３４）と、乾燥室内の流体の流通用の流通窓（２１、２２、２３、２４）を設けた構成であることを特徴とする請求項１乃至４のいずれか１項に記載の乾燥装置。
【手続補正書】
【提出日】平成19年5月10日(2007.5.10)
【手続補正１】
【補正対象書類名】明細書
【補正対象項目名】全文
【補正方法】変更
【補正の内容】
【発明の詳細な説明】
【技術分野】
【０００１】  本発明は、ウエブ等を乾燥する乾燥装置であって乾燥に使用する気体は、常温流体と、熱流体と、低温流体の何れかの流体を壁面内部に設けたダクトより給排する乾燥装置に関する。
【背景技術】
【０００２】  従来型乾燥装置の一例である。図１２と、図１７ないし図１９は従来型乾燥装置のダクト機構の断面図と、ダクト機構の斜視図を示した図である。
従来型乾燥装置の一例の断面図を図１２に示す。従来から連続的に搬送される支持体を浮上して走行する支持体をウェブと称している。この例では従来型フローティング乾燥装置を設置している。乾燥装置の直方体あるいは立方体の６面は、天井壁面５０と、側壁面７０、８０と、その他の側壁面８２、８４とで上蓋１１０を構成している。床面６０と、側面壁７１、８１と、その他の側壁面８３、８５とで乾燥部１２０を構成している。壁面８４、８５は図示なし。上蓋１１０と乾燥部１２０は蓋を締めパチン錠等と呼ばれるクリップ（図示なし）により要所が固定される。乾燥装置内に設置したノズル装置のノズル１１に流体を供給する２箇所のダクト１０より流体は供給され複数のノズル１１から吐出す。ウエブ９０はノズル１１の下方と上方からの吐出する流体によって空中を浮遊させて乾燥部１２０のウエブ流入口３０より流入して、乾燥したウエブ９０は乾燥部１２０のウエブ流出口４０より流出する。乾燥工程で使用された流体は、４隅のダクト２０より排気される。４隅のダクト２０は乾燥に大きく貢献する重要機構である。乾燥装置の占めるダクト２０の割合は大きく１／２以上を占有しているため乾燥装置を小型に安価にできない要因の一つになっている。乾燥装置に占めるダクト２０の割合を最少にして目的のノズル装置のノズル噴射工程を長くしたい。【０００３】  図１７は、図１２の従来型フローティング乾燥装置の断面図を示した図である。
従来型乾燥装置を使用するとき、ノズル装置の直接噴射工程が１システムで不足のときは、乾燥装置を追加して設けノズル装置のノズル噴射工程を長くする。乾燥装置を複数台直列に使用した。図の例では乾燥装置２システムを直列に使用した例である。図は、ノズル装置のノズル噴射工程を省略した。ウエブ９０は、ウエブ流入口３０より流入して、１システムのウエブ流出口４０より流出して、２システムのウエブ流入口３０より流入して、２システムのウエブ流出口４０より流出する。４隅のダクト機構の清掃はたえず必要であった。ダクト２０は大きく床面と、天井面に固定されている。ノズル装置のノズル噴射工程も詰め込まれた設定である。ダクト２０とノズル装置の配置の関係で重要なダクト２０の清掃は大変困難であった。【０００４】  図１８は、図１７の一部を切り欠いだ斜視図を示した図である。
図１８は、上下に２分割できる従来型乾燥装置の斜視図である。
ノズル装置のノズル噴射工程と、上蓋１１０の一部を省略した。ウエブ９０は、ウエブ流入口３０より流入して、２システム目のウエブ流出口４０より流出する。４隅のダクトの清掃と流体の供給量と排出量の調整を必要とするので、上蓋１１０と、乾燥部１２０は、上下２分割できるようになっている。ノズル装置を使用するときは、パチン錠等と呼ばれるクリップ（図示なし）により２分割した個所の要点を固定する。図示していない側壁面８４、８５は乾燥装置の重要な壁面である。【０００５】  図１９は、図１７の斜視図を示した図である。
ノズル装置のノズル噴射工程のダクト１０は省略してある。ウエブ９０は、ウエブ入口３０より流入して、２システム目のウエブ出口４０より流出する。４隅のダクトの清掃と流体の供給量と排出量の調整を必要とするので、上蓋１１０と、乾燥部１２０は、上下２分割できる。ノズル装置を使用するときは、パチン錠等と呼ばれるクリップにより２分割した個所の要点を固定する。８４、８５は側壁面である。【０００６】  発明の名称：紙ウエブ等のコーディングの乾燥方法及び装置に記載されている代表図によると乾燥装置全体は箱構体で囲まれ、箱構体４隅の上方と下方に吹出しと、排気ダクトがある。４隅のダクトは乾燥に大きく貢献する重要機構であるがダクトの乾燥装置に占める割合は、１／２以上と大きい（特許文献１を参照）。【０００７】  発明の名称：ウエブ乾燥処理装置、及びウエブ乾燥処理方法に記載されている図２〜３でダクトの占有する面積は、１／２以上と大きい（特許文献２を参照）。【０００８】
【特許参考文献１】
特開平１０−２０２１７５号
【特許参考文献２】
特開平１１−１２８８０７号
【発明の開示】
【発明が解決しようとする課題】
【０００９】  従来の乾燥装置において、ダクトの占有する面積は装置の１／２以上と大きい。日常メンテナンスを必要とするダクトは、清掃しようにもダクトと、ノズル装置がぎっしり詰め込んだ構造が多いため狭く充分清掃が行き届かない。ダクトの清掃は乾燥装置の性能に影響する重要な部分である。ウエブを乾燥する上で、ノズル装置のノズル噴射工程を長くすることは直接的に乾燥効果が上がるためノズル装置のノズル噴射工程を長くしたい。乾燥装置に設けてある４隅のダクトをの取りぞけるものなら除きたい。乾燥装置に占有するダクトの占有面積を最小にして性能を向上したダクトを設けた乾燥装置を得るにある。【００１０】  本発明は以上のような従来の欠点に鑑み、乾燥装置において、ダクトの占有する面積を最小にするため乾燥装置の壁面内部に設けられるダクトが必要でダクトの性能を向上した。乾燥性能に影響するダクトの清掃も自在に行える面積を確保した。壁面内部にダクトを設けるにはダクトの性能を向上させた。ダクトを従来にない多層構造として性能向上と壁面に影響しないよう断熱性能を高め、断面積を小さくした。乾燥装置を形成する６壁面を使用して、２壁面はウエブの出入り壁面として、４壁面をダクトの設置場所とした構成の乾燥装置を提供することを目的としている。ここで取り扱う気体は、常温流体と、熱流体と、低温流体等である。【００１１】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【００１２】  上記目的を達成するために、本発明は、常温流体と、熱流体と、低温流体の何れかの状態の流体を壁面内部に設けたダクトにより給気あるいは排気をするノズル装置のノズル噴射工程を設置できる乾燥装置であって、該乾燥装置２００は、直方体あるいは立法体の６面で構成した。天井壁面５０と、側壁面７０と８０と、その他の側壁面８２、８４とで構成された上蓋１１０と、床面６０と、側面壁７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。乾燥装置は他の外形で球体等の場合もある。【００１３】  また、請求２記載の発明では、請求項１記載の乾燥装置であって、上記記載の乾燥装置２００は、乾燥装置２００内部の流体の給気と排気等が行えるように壁面の内部に設けたダクト１９０は、乾燥装置の内外から流体の給気と排気等を行う給排気管１９２と、乾燥装置室内の流体の給気と排気等を行う給排気窓部１９１と、給排気管１９２の周囲を囲んで空気を封じ込んで両端を密閉した空気層管１９３と、空気層管１９３の周囲を囲んで流体の給気と排気が行える流体流通管１９４とでダクト１９０を設けた構成の乾燥装置である。給排気窓部１９１はパンチングブレードが使用される。ダクト１９０の給排気は給排気管１９２が中心で、ダクト１９０の壁面に及ぼす温度制御は流体流通管１９４に流体を流通させて制御するこれらを含めて外部よりダクト１９０とカップリングできるダクトは弊社出願中のダクト機構がある。【００１４】  また、請求項３記載の発明では、請求項１又は２記載の乾燥装置であって、前記記載の乾燥装置（２００）は、直方体あるいは立法体の６面で構成され、天井壁面（５０）と、側壁面（７０、８０）と、その他の側壁面（８２、８４）とで構成された上蓋（１１０）と、床面（６０）と、側面壁（７１、８１）と、その他の側壁面（８３、８５）とで構成された乾燥部（１２０）と、側壁面（８３）に設けたウエブ（９０）の受け流入口（３０）と、側壁面（８５）に設けた流出口（４０）と、側壁面（７０、７１）の内部と、側壁面（８０、８１）の内部には、常温流体と、熱流体と、低温流体の何れかの状態の流体を給気あるいは排気をするダクト（１９０）を設けた構成の乾燥装置である。【００１５】  また、請求項４記載の発明では、請求項１又は２記載の乾燥装置であって、前記記載の乾燥装置２００は、直方体あるいは立法体の６面で構成した。天井壁面５０と、側壁面７０、と８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あ���いは排気をするダクト１９０を設けた構成の乾燥装置である。【００１６】  また、請求項５記載の発明では、請求項１乃至４のいずれか１項に記載の乾燥装置であって、前記記載の乾燥装置２００は、乾燥装置２００を２室とした直方体あるいは立法体の６面で構成した。  乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。
【発明の効果】
【００１７】  以下の説明から明らかなように、本発明にあっては次に列挙する効果が得られる。【００１８】  請求項１記載の発明では、常温流体と、熱流体と、低温流体の何れかの状態の流体を壁面内部に設けたダクトにより給気あるいは排気をするノズル装置のノズル噴射工程を設置できる乾燥装置であって、該乾燥装置は、直方体あるいは立法体の６面で構成した。天井壁面と、側壁面７０、８０と、その他の側壁面８２、８４とで構成された上蓋と、床面と、側面壁７１、８１と、その他の側壁面８３、８５とで構成された乾燥部と、側壁面７１はウエブの受け流入口と、側壁面８１は流出口を設けた。天井壁面の内部と、床面の内部には、常温流体と、熱流体と、低温流体の何れかの状態の流体を給気あるいは排気をするダクト１９０を設けた構成の乾燥装置であるので、壁面内部にダクトを設けてダクトの占有する面積を最小にして性能を向上したダクトを設けることができた。乾燥性能に影響するダクトの清掃も清掃作業の場所が確保出来たので自在に行えるようになった。乾燥装置を小型化出来るので製造原価の低減と設置場所の面積の削減との顕著な効果を得た。【００１９】  また、請求２記載の発明では、請求項１記載の乾燥装置であって、上記記載の乾燥装置２００は、乾燥装置２００内部の流体の給気と排気等が行えるように壁面の内部に設けたダクト１９０は、乾燥装置の内外から流体の給気と排気等を行う給排気管１９２と、乾燥装置室内の流体の給気と排気等を行う給排気窓部１９１と、給排気管１９２の周囲を囲んで空気を封じ込んで両端を密閉した空気層管１９３と、空気層管１９３の周囲を囲んで流体の給気と排気が行える流体流通管１９４とでダクト１９０を設けた構成の乾燥装置であるので、断熱効果の優れたダクトを設けたので壁面内部にダクトを設けることが可能となる。ダクトの温度が上昇するときはダクトに設けた流体流通管を使用して強制的に流体を入れ替えできるためダクト温度の制御が自在になった。優れたダクトである。【００２０】  請求項３記載の発明では、請求項１〜２記載の乾燥装置であって、前記記載の乾燥装置２００は、直方体あるいは立法体の６面で構成され、天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面８３に設けたウエブ９０の受け流入口３０と、側壁面８５に設けた流出口４０と、側壁面７０、７１の内部と、側壁面８０、８１の内部には、常温流体と、熱流体と、低温流体の何れかの状態の流体を給気あるいは排気をするダクト１９０を設けた構成であることを特徴とする請求項１又は２記載の乾燥装置であるので、壁面内部にダクトを設けたので、乾燥装置室内でのダクトの占有する面積をなくすることができた。乾燥性能に影響するダクトの清掃も清掃作業の場所が確保出来たので自在に行えるようになった。乾燥装置を小型化出来るので製造原価の低減と設置場所の削減との顕著な効果を得た。【００２１】  請求項４記載の発明では、請求項１又は２記載の乾燥装置であって、前記記載の乾燥装置２００は、直方体あるいは立法体の６面で構成した。天井壁面と、側面壁７０、８０��、その他の側壁面８２、８４とで構成された上蓋と、床面と、側面壁７１、８１と、その他の側壁面８３、８５とで構成された乾燥部と、側壁面８３はウエブの受け流入口と、側壁面８５は流出口を設けた。側壁面８３に流出口と、側壁面８５に流入口を設ける場合もある。天井壁面の内部と、床面の内部と、側壁面７０、７１の内部と、側壁面８０、８１の内部には、常温流体と、熱流体と、低温流体の何れかの状態の流体を給気あるいは排気をするダクトを設けた構成の乾燥装置であるので、壁面内部にダクトを設けたので、乾燥装置室内でのダクトの占有する面積をなくすることができた。乾燥性能に影響するダクトの清掃も清掃作業の場所が確保出来たので自在に行えるようになった。乾燥装置を小型化出来るので製造原価の低減と設置場所の削減との顕著な効果を得た。【００２２】  請求項５記載の発明では、請求項１乃至４のいずれか１項に記載の乾燥装置であって、前記記載の乾燥装置は、乾燥装置を２室とした直方体あるいは立法体の６面で構成した。乾燥装置内部の区切りとなる区切壁面８６、８７を設けた。区切壁面８６、８７はウエブの流入口と流出口となるウエブ窓と、乾燥室内の流体の流通用の流通窓を設けた構成の乾燥装置であるので、乾燥装置を小型化してフローテイングノズル装置とウエブローラ装置を区切った室に設置できるので設置場所の削減とメンテナンスの能率は向上した。乾燥装置を小型化出来るので製造原価の低減と設置場所の削減との顕著な効果を得た。
【発明を実施するための最良の形態】
【００２３】  以下、図面に示す実施するための最良の形態により、本発明を詳細に説明する。
【実施例１】
【００２４】  図１ないし図６と図１１と図１５と図１６に示す本発明の第１の実施するための最良の第１の形態において、図１１は、本発明の乾燥装置の断面図を示した図である。
常温流体と、熱流体と、低温流体の何れかの状態の流体を壁面の内部に設けたダクトにより供給あるいは排気をするノズル装置のノズル噴射工程を設置できる乾燥装置である。
図では、フローテイングノズル装置のノズル噴射工程を上下に設けた。ウエブ９０に向けノズル１１噴射の方向を定めている。本発明の乾燥装置内部は、従来のダクトのように占有されなくなったので、ノズル噴射工程を最長に設けることができた。該乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。【００２５】  図１は、本発明の乾燥装置の一部を切り欠いだ斜視図を示した図である。
乾燥装置２００は、ノズル装置のノズル噴射工程を省略した図である。乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００２６】  図２は、図１のＡ−Ａ線に沿う断面図を示した図である。
上記記載の乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。天井壁面５０の内部と、床面６０の内部には、常温流体と、熱流体と、低温流体の何れかの状態の流体を給気あるいは排気をするダクト１９０を設けた構成の乾燥装置である。【００２７】  図３は、本発明のダクトの斜視図を示した図である。
上記記載の乾燥装置２００は、乾燥装置２００内外の流体の給気と排気等が行えるダクト１９０を壁面の内部に設けた。該ダクト１９０は、乾燥装置の内外から流体の給気と排気等を行う給排気管１９２と、給排気管１９２は、乾燥装置室部の流体の給気と排気等を行う給排気窓部１９１とを設けた。給排気窓部１９１は乾燥装置室内に向けて配置する。
給排気管１９２の周囲を囲んで設けた空気を封じ込んで両端を密閉した空気層管１９３を設けた。空気層管１９３の周囲を囲んで流体の給気と排気が行える流体流通管１９４を設けた。給排気管１９２の温度によって、断熱効果のある空気層管１９３と、空気層管１９３の周囲を流体の流通で温度制御が可能な流体流通管１９４を合わせて設けた構成のダクト１９０である。給排気窓部１９１はパンチングブレードが使用される。ダクト１９０の給排気は給排気管１９２が中心で、ダクト１９０の壁面に及ぼす温度制御は流体流通管１９４に流体を流通させて制御するこれらを含めて外部よりダクト１９０とカップリングできるダクトは弊社出願中のダクト機構がある。【００２８】  図４は、図３のＢ−Ｂ線に沿う断面図を示した図である。
上記記載の乾燥装置２００は、乾燥装置２００内外の流体の給気と排気等が行えるダクト１９０を設けた。該ダクト１９０は、乾燥装置の内外から流体の給気と排気等を行う給排気管１９２と、給排気管１９２は、乾燥装置室内の流体の給気と排気等を行う給排気窓部１９１とを設けた。給排気管１９２の周囲を囲んで設けた空気を封じ込んで両端を密閉した空気層管１９３を設けた。空気層管１９３の周囲を囲んで流体の給気と排気が行える流体流通管１９４を設けた構成のダクト１９０である。【００２９】  図５は、図３のＣ−Ｃ線に沿う断面図を示した図である。
前記記載の乾燥装置２００は、乾燥装置２００内外の流体の給気と排気等が行えるダクト１９０を設けた。該ダクト１９０は、乾燥装置の内外から流体の給気と排気等を行う給排気管１９２と、給排気管１９２は、乾燥装置室内の流体の給気と排気等を行う給排気窓部１９１とを設けた。給排気管１９２の周囲を囲んで設けた空気を封じ込んで両端を密閉した空気層管１９３を設けた。空気層管１９３の周囲を囲んで流体の給気と排気が行える流体流通管１９４を設けた構成のダクト１９０である。【００３０】  図６は、本発明の乾燥装置の斜視図を示した図である。
前記記載の本発明は、常温流体と、熱流体と、低温流体の何れかの状態の流体を壁面に設けたダクトにより供給あるいは排気をするノズル装置のノズル噴射工程を設置できる乾燥装置であって、該乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面７１はウエブ９０の受け流入口３０と、側壁面８１は流出口４０を設けた。
天井壁面５０の内部と、床面６０の内部には、常温流体と、熱流体と、低温流体の何れかの状態の流体を給気あるいは排気をするダクト１９０を設けた構成の乾燥装置である。
給排気装置によって給気と、排気が行われる。【００３１】  図１５と図１６は、本発明の乾燥装置の流入口の側面図を示した図である。
図１５は乾燥装置２００の上蓋１１０を開けた状態を示した。図１６は乾燥装置２００の上蓋１１０を乾燥部１２０に被せて使用する状態を示した図である。
符号１９０はダクト、３０はウエブ９０の流入口、７０と７１は側壁面である。【００３２】｛発明を実施するための異なる形態｝【００３３】  次に、図７ないし図１４に示す本発明を実施するための異なる形態につき説明する。
なお、これらの本発明を実施するための異なる形態の説明に当たって、前記本発明を実施するための最良の第１の形態と同一構成部分には同一符号を付して重複する説明を省略する。
【実施例２】
【００３４】  図７の本発明の第２の実施の形態において前記本発明の第１の実施の形態と主に異なる点は、前記記載の乾燥装置２００に設けたダクト１９０の配置した壁面が異なる。それに伴いウエブ９０の流入口３０と、流出口４０の配置場所が異なる。【００３５】  図７は、本発明の乾燥装置の一部を切り欠いだ斜視図を示した図である。
上記記載の乾燥装置２００は、直方体あるいは立法体の６面で構成した。天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。側壁面７０、７１の内部と、側壁面８０、８１の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００３６】  図８は、図７のＤ−Ｄ線に沿う断面図を示した図である。
前記記載の乾燥装置２００は、天井壁面５０と、側壁面７０、８０と、その他の側壁面８２、８４とで構成された上蓋１１０と、床面６０と、側壁面７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。側壁面７０、７１の内部と、側壁面８０、８１の内部には、常温流体と、熱流体と、低温流体の何れかの状態の流体を給気あるいは排気をするダクト１９０を設けた構成の乾燥装置である。
【実施例３】
【００３７】  図９の本発明の第３の実施の形態において前記本発明の第１の実施の形態と主に異なる点は、前記記載の乾燥装置２００に設けたダクト１９０を配置した側壁面が異なる。それに伴いウエブ９０の流入口３０と、流出口４０の配置場所が異なる。【００３８】  図９は、本発明の乾燥装置の一部を切り欠いだ斜視図を示した図である。
前記記載の乾燥装置２００は、直方体あるいは立法体の６面で構成した。天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あるいは排気をするダクト１９０を設けた構成の乾燥装置である。側壁面８４、８５は一部を切り欠いだので図示せず。【００３９】  図１０は、図９のＥ−Ｅ線に沿う断面図を示した図である。
前記記載の乾燥装置２００は、天井壁面５０と、側壁面７０、８０と、その他の側壁面８２、８４とで構成された上蓋１１０と、床面６０と、側面壁７１、８１と、その他の側壁面８３、８５とで構成された乾燥部１２０と、側壁面８３はウエブ９０の受け流入口３０と、側壁面８５は流出口４０を設けた。側壁面８３に流出口４０と、側壁面８５に流入口３０を設ける場合もある。天井壁面５０の内部と、床面６０の内部と、側壁面７０、７１の内部と、側壁面８０、８１の内部には、常温流体と、熱流体と、低温流体の何れかの状態の流体を給気あるいは排気をするダクト１９０を設けた構成の乾燥装置である。
【実施例４】
【００４０】  図１３の本発明の第４の実施の形態において前記本発明の第１の実施の形態と主に異なる点は、前記記載の乾燥装置２００の乾燥装置内部の区切りとなる区切壁面８６、８７を設けたことが異なる。【００４１】  図１３は、乾燥装置の２室の断面図を示した図である。
前記記載の乾燥装１２００は、乾燥装置２００を２室とした直方体あるいは立法体の６面で構成した。乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。乾燥装置２００は区切室の数に応じて区切壁面を設けることができる。【００４２】  図１４は、図１３の一部を切り欠いだ斜視図を示した図である。
前記記載の乾燥装置２００は、乾燥装置２００を２室とした直方体あるいは立法体の６面で構成した。乾燥装置内部の区切りとなる区切壁面８６、８７を設けた。区切壁面８６、８７はウエブ９０の流入口と流出口となるウエブ窓３４と、乾燥室内の流体の流通用の流通窓２１、２２、２３、２４を設けた構成の乾燥装置である。
【産業上の利用可能性】
【００４３】  本発明は、ウエブの乾燥装置を製造販売する産業で利用される。また、ウエブの状態で乾燥を行う製紙分野と、印刷分野と、フイルム分野、液晶分野その他食料乾燥分野でも使用される。
【図面の簡単な説明】
【００４４】
【図１】本発明を実施するための最良の第１の形態の乾燥装置の一部を切り欠いだ斜視図。
【図２】図１のＡ−Ａ線に沿う断面図。
【図３】本発明を実施するための最良の第１の形態の乾燥装置に用いるダクトの斜視図。
【図４】図３のＢ−Ｂ線に沿う断面図。
【図５】図３のＣ−Ｃ線に沿う断面図。
【図６】本発明を実施するための最良の第１の形態の乾燥装置の斜視図。
【図７】本発明を実施するための最良の第２の形態の乾燥装置の一部を切り欠いだ斜視図。
【図８】図７のＤ−Ｄ線に沿う断面図。
【図９】本発明を実施するための最良の第３の形態の乾燥装置の一部を切り欠いだ斜視図。
【図１０】図９のＥ−Ｅ線に沿う断面図。
【図１１】本発明を実施するための最良の第１の形態の乾燥装置の断面図。
【図１２】従来型乾燥装置の断面図。
【図１３】本発明を実施するための最良の第４の形態の乾燥装置の一部を切り欠いだ斜視図。
【図１４】図１３の乾燥装置の一部を切り欠いだ斜視図。
【図１５】本発明を実施するための最良の第１の形態の乾燥装置の側面図。
【図１６】本発明を実施するための最良の第１の形態の乾燥装置の側面図。
【図１７】従来型乾燥装置の断面図。
【図１８】従来型乾燥装置の一部を切り欠いだ斜視図。
【図１９】従来型乾燥装置の斜視図。
【符号の説明】
【００４５】  １０  ダクト
１１  ノズル
２０  ダクト
２１  流通窓
２２  流通窓
２３  流通窓
２４  流通窓
３０  流入口
３４  ウエブ窓
４０  流出口
５０  天井壁面
６０  床面
７０  側壁面
７１  側壁面
８０  側壁面
８１  側壁面
８２  側壁面
８３  側壁面
８４  側壁面
８５  側壁面
８６  区切壁面
８７  区切壁面
９０  ウエブ
１１０  上蓋
１２０  乾燥部
１９０  ダクト
１９１  給排気窓部
１９２  給排気管
１９３  空気層管
１９４  流体流通管
２００  乾燥装置